【手続補正書】
【提出日】平成31年2月1日(2019.2.1)
【手続補正１】
【補正対象書類名】特許請求の範囲
【補正対象項目名】全文
【補正方法】変更
【補正の内容】
【特許請求の範囲】
【請求項１】
フィトフトラ（Ｐｈｙｔｏｐｈｔｈｏｒａ）に対する広域遺伝的耐性を含有する第１のカタランツス（Ｃａｔｈａｒａｎｔｈｕｓ）植物と、第２のカタランツス（Ｃａｔｈａｒａｎｔｈｕｓ）植物とを交雑させることによって得ることができる、フィトフトラ（Ｐｈｙｔｏｐｈｔｈｏｒａ）に対する広域遺伝的耐性を含有するカタランツス（Ｃａｔｈａｒａｎｔｈｕｓ）植物またはその子孫であって、前記第１のカタランツス（Ｃａｔｈａｒａｎｔｈｕｓ）植物がＮＣＩＭＢ受入番号４２３４８で寄託されている、カタランツス（Ｃａｔｈａｒａｎｔｈｕｓ）植物またはその子孫。
【請求項２】
同じアッセイを用いて、同一の環境条件下及び同じフィトフトラ・ニコチアネ（Ｐｈｙｔｏｐｈｔｈｏｒａ  ｎｉｃｏｔｉａｎａｅ）の影響下で評価したときに、受入番号ＮＣＩＭＢ４２３４８でＮＣＩＭＢに寄託されている種子の代表的なサンプルであるＦＤ０９２２と統計的に同じ程度まで、フィトフトラ・ニコチアネ（Ｐｈｙｔｏｐｈｔｈｏｒａ  ｎｉｃｏｔｉａｎａｅ）に耐性である、請求項１に記載のカタランツス（Ｃａｔｈａｒａｎｔｈｕｓ）植物。
【請求項３】
前記耐性が、標準的な耐性アッセイにおいて評価可能であり、１以下の耐性スコアが得られ、そして統計的に有意な程度まで同じアッセイにおいて、かつ同一の環境条件下及び同じフィトフトラ・ニコチアネ（Ｐｈｙｔｏｐｈｔｈｏｒａ  ｎｉｃｏｔｉａｎａｅ）の影響下で評価したときに、標準的な感受性商業品種により２以上のスコアが得られる、フィトフトラ・ニコチアネ（Ｐｈｙｔｏｐｈｔｈｏｒａ  ｎｉｃｏｔｉａｎａｅ）に耐性である、請求項１または２に記載のカタランツス（Ｃａｔｈａｒａｎｔｈｕｓ）植物。
【請求項４】
フィトフトラ（Ｐｈｙｔｏｐｈｔｈｏｒａ）に対する広域遺伝的耐性を含有するカタランツス（Ｃａｔｈａｒａｎｔｈｕｓ）種子であって、前記種子が植物ＦＤ０９２２を含む系統を有し、そして前記植物ＦＤ０９２２の代表的な種子がＮＣＩＭＢ受入番号４２３４８で寄託されている、カタランツス（Ｃａｔｈａｒａｎｔｈｕｓ）種子。
【請求項５】
請求項４に記載の種子を成長させることによって生産される、カタランツス（Ｃａｔｈａｒａｎｔｈｕｓ）植物。
【請求項６】
第１の親カタランツス（Ｃａｔｈａｒａｎｔｈｕｓ）植物と、第２の親カタランツス（Ｃａｔｈａｒａｎｔｈｕｓ）植物とを交雑させるステップと、得られたＦ1ハイブリッドカタランツス（Ｃａｔｈａｒａｎｔｈｕｓ）種子を収穫するステップとを含む、Ｆ1ハイブリッドカタランツス（Ｃａｔｈａｒａｎｔｈｕｓ）種子の生産方法であって、前記第１または第２の親カタランツス（Ｃａｔｈａｒａｎｔｈｕｓ）植物が、請求項１〜３のいずれか１項に記載のカタランツス（Ｃａｔｈａｒａｎｔｈｕｓ）植物である、方法。
【請求項７】
請求項６に記載の方法によって生産される、Ｆ1ハイブリッド種子。
【請求項８】
請求項７に記載のハイブリッド種子を成長させることによって生産される、ハイブリッド植物またはその部位。
【請求項９】
請求項８に記載のハイブリッド植物から生産される、フィトフトラ（Ｐｈｙｔｏｐｈｔｈｏｒａ）に対する広域遺伝的耐性を含有する種子。
【手続補正２】
【補正対象書類名】明細書
【補正対象項目名】０１１３
【補正方法】変更
【補正の内容】
【０１１３】
引用文献
Ｄａｓｔｕｒ，Ｊ．Ｆ．１９１６．Ｐｈｙｔｏｐｈｔｈｏｒａ  ｏｎ  Ｖｉｎｃａ  ｒｏｓｅａ．Ｍｅｍ．Ｄｅｐ．Ａｇｒｉｃ．Ｉｎｄｉａ  Ｂｏｔ．Ｓｅｒ．８：２３３−２４２．
Ｇｉｌｌ，Ｈ．Ｓ．，Ｏ．Ｋ．Ｒｉｂｅｉｒｏ，ａｎｄ  Ｇ．Ａ．Ｚｅｎｔｍｙｅｒ．１９７７．Ｐｈｙｔｏｐｈｔｈｏｒａ  ｂｌｉｇｈｔ  ｏｆ  ｐｅｒｉｗｉｎｋｌｅｓ  ｉｎ  ｔｈｅ  Ｃｏａｃｈｅｌｌａ  Ｖａｌｌｅｙ  ｏｆ  Ｃａｌｉｆｏｒｎｉａ．Ｐｌａｎｔ  Ｄｉｓ．Ｒｅｐ．６１：５６０−５６１
Ｊｅｆｆｅｒｓ，Ｓ．Ｎ．ａｎｄ  Ｉ．Ｍ．Ｍｅａｄｏｗｓ．２０１１．Ｖａｒｉａｔｉｏｎ  ｉｎ  ｖｉｒｕｌｅｎｃｅ  ａｍｏｎｇ  ｉｓｏｌａｔｅｓ  ｏｆ  Ｐｈｙｔｏｐｈｔｈｏｒａ  ｎｉｃｏｔｉａｎａｅ  ｒｅｃｏｖｅｒｅｄ  ｆｒｏｍ  Ｃａｔｈａｒａｎｔｈｕｓ  ｒｏｓｅｕｓ．（Ａｂｓｔｒ．）Ｐｈｙｔｏｐａｔｈｏｌｏｇｙ  １０１（Ｓｕｐｐｌ．）：Ｓ２６６．
Ｌａｍｏｕｒ，Ｋ．２０１３．Ｐｈｙｔｏｐｈｔｈｏｒａ：ａ  ｇｌｏｂａｌ  ｐｅｒｓｐｅｃｔｉｖｅ．ＣＡＢＩ  ｐｌａｎｔ  ｐｒｏｔｅｃｔｉｏｎ  ｓｅｒｉｅｓ（２）．Ｍａｍｍｅｌｌａ，Ｍ．Ａ．，Ｆ．Ｎ．Ｍａｒｔｉｎ，Ｓ．Ｏ．Ｃａｃｃｉｏｌａ，Ｍ．Ｄ．Ｃｏｆｆｅｙ，Ｒ．Ｆａｅｄｄａ，ａｎｄ  Ｌ．Ｓｃｈｅｎａ．２０１３．Ａｎａｌｙｓｅｓ  ｏｆ  ｔｈｅ  ｐｏｐｕｌａｔｉｏｎ  ｓｔｒｕｃｔｕｒｅ  ｉｎ  ａ  ｇｌｏｂａｌ  ｃｏｌｌｅｃｔｉｏｎ  ｏｆ  Ｐｈｙｔｏｐｈｔｈｏｒａ  ｎｉｃｏｔｉａｎａｅ  ｉｓｏｌａｔｅｓ  ｉｎｆｅｒｒｅｄ  ｆｒｏｍ  ｍｉｔｏｃｈｏｎｄｒｉａｌ  ａｎｄ  ｎｕｃｌｅａｒ  ＤＮＡ  ｓｅｑｕｅｎｃｅｓ．Ｐｈｙｔｏｐａｔｈｏｌｏｇｙ  １０３：６１０−６２２．
Ｋｅｉｍ，Ｒ．１９７７．Ｆｏｌｉａｇｅ  ｂｌｉｇｈｔ  ｏｆ  ｐｅｒｉｗｉｎｋｌｅ  ｉｎ  Ｓｏｕｔｈｅｒｎ  Ｃａｌｉｆｏｒｎｉａ．Ｐｌａｎｔ  Ｄｉｓ．Ｒｅｐ．６１：１８２−１８４
Ｆｅｈｒ，Ｗ．Ｒ．１９８７．Ｂｒｅｅｄｉｎｇ  ｍｅｔｈｏｄｓ  ｆｏｒ  ｃｕｌｔｉｖａｒ  ｄｅｖｅｌｏｐｍｅｎｔ．２９３．Ｉｎ  Ｊ．Ｒ．Ｗｉｌｃｏｘ（ｅｄ．）Ｓｏｙｂｅａｎｓ：Ｉｍｐｒｏｖｅｍｅｎｔ，ａｎｄ  Ｕｓｅｓ．２ｎｄ  ｅｄ．Ａｇｒｏｎｏｍｙ  Ｍｏｎｏｇｒ．１６．ＡＳＡ，Ｍａｄｉｓｏｎ，ＷＩ．
Ａｌｌａｒｄ，Ｒ．１９６０  Ｐｒｉｎｃｉｐｌｅｓ  ｏｆ  Ｐｌａｎｔ  Ｂｒｅｅｄｉｎｇ．Ｗｉｌｅｙ，Ｎｅｗ  Ｙｏｒｋ，ＮＹ，１ｓｔ  Ｅｄ．
Ｓｉｍｍｏｎｄｓ，Ｎ．Ｗ．１９７９．Ｐｒｉｎｃｉｐｌｅｓ  ｏｆ  ｃｒｏｐ  ｉｍｐｒｏｖｅｍｅｎｔ．Ｌｏｎｇｍａｎ  Ｇｒｏｕｐ  Ｌｔｄ．，Ｌｏｎｄｏｎ
Ｓａｎｄｌｉｎ，Ｃ．Ｍ．１９９３．Ｅｆｆｅｃｔｓ  ｏｆ  ｍｅｔｈｙｌ  ｂｒｏｍｉｄｅ−ｃｈｌｏｒｏｐｉｃｒｉｎ  ｆｕｍｉｇａｔｉｏｎ  ｏｆ  ｐｏｔｔｉｎｇ  ｍｉｘ  ａｎｄ  ｌｅｎｇｔｈ  ｏｆ  ｉｒｒｉｇａｔｉｏｎ  ｐｅｒｉｏｄ  ｏｎ  ｓｅｖｅｒｉｔｙ  ａｎｄ  ｐｒｏｇｒｅｓｓｉｏｎ  ｏｆ  ｒｏｏｔ  ｒｏｔ  ｏｆ  Ｉｔａｌｉａｎ  ｓｔｏｎｅ  ｐｉｎｅ  ｃａｕｓｅｄ  ｂｙ  Ｐｈｙｔｏｐｈｔｈｏｒａ  ｐａｒａｓｉｔｉｃａ．Ｄｏｃｔｏｒａｌ  ｄｉｓｓｅｒｔａｔｉｏｎ，Ｕｎｉｖｅｒｓｉｔｙ  ｏｆ  Ｃａｌｉｆｏｒｎｉａ，Ｒｉｖｅｒｓｉｄｅ．
本発明の好ましい態様は、下記の通りである。
〔１〕フィトフトラ（Ｐｈｙｔｏｐｈｔｈｏｒａ）に対する広域遺伝的耐性を含有する第１のカタランツス（Ｃａｔｈａｒａｎｔｈｕｓ）植物と、第２のカタランツス（Ｃａｔｈａｒａｎｔｈｕｓ）植物とを交雑させることによって得ることができる、フィトフトラ（Ｐｈｙｔｏｐｈｔｈｏｒａ）に対する広域遺伝的耐性を含有するカタランツス（Ｃａｔｈａｒａｎｔｈｕｓ）植物またはその子孫であって、前記第１のカタランツス（Ｃａｔｈａｒａｎｔｈｕｓ）植物がＮＣＩＭＢ受入番号４２３４８で寄託されている、カタランツス（Ｃａｔｈａｒａｎｔｈｕｓ）植物またはその子孫。
〔２〕同じアッセイ、特に実施例２に記載されるアッセイを用いて、同一の環境条件下、特に同じフィトフトラ・ニコチアネ（Ｐｈｙｔｏｐｈｔｈｏｒａ  ｎｉｃｏｔｉａｎａｅ）の影響下で評価したときに、受入番号ＮＣＩＭＢ４２３４８でＮＣＩＭＢに寄託されている種子の代表的なサンプルであるＦＤ０９２２と統計的に同じ程度まで、フィトフトラ・ニコチアネ（Ｐｈｙｔｏｐｈｔｈｏｒａ  ｎｉｃｏｔｉａｎａｅ）に耐性である、前記〔１〕に記載のカタランツス（Ｃａｔｈａｒａｎｔｈｕｓ）植物。
〔３〕前記耐性が、標準的な耐性アッセイ、特に実施例２に記載されるアッセイにおいて評価可能であり、１以下の耐性スコアが得られ、特に０の耐性スコアが得られ、そして統計的に有意な程度まで同じアッセイにおいて、かつ同一の環境条件下、特に同じフィトフトラ・ニコチアネ（Ｐｈｙｔｏｐｈｔｈｏｒａ  ｎｉｃｏｔｉａｎａｅ）の影響下で評価したときに、例えばサンストームディープピンクなどの標準的な感受性商業品種により２以上のスコアが得られる、フィトフトラ・ニコチアネ（Ｐｈｙｔｏｐｈｔｈｏｒａ  ｎｉｃｏｔｉａｎａｅ）に耐性である、前記〔１〕または〔２〕に記載のカタランツス（Ｃａｔｈａｒａｎｔｈｕｓ）植物。
〔４〕フィトフトラ（Ｐｈｙｔｏｐｈｔｈｏｒａ）に対する広域遺伝的耐性を含有するカタランツス（Ｃａｔｈａｒａｎｔｈｕｓ）種子であって、前記種子が植物ＦＤ０９２２を含む系統を有し、そして前記植物ＦＤ０９２２の代表的な種子がＮＣＩＭＢ受入番号４２３４８で寄託されている、カタランツス（Ｃａｔｈａｒａｎｔｈｕｓ）種子。
〔５〕前記〔４〕に記載の種子を成長させることによって生産される、カタランツス（Ｃａｔｈａｒａｎｔｈｕｓ）植物。
〔６〕第１の親カタランツス（Ｃａｔｈａｒａｎｔｈｕｓ）植物と、第２の親カタランツス（Ｃａｔｈａｒａｎｔｈｕｓ）植物とを交雑させるステップと、得られたＦ1ハイブリッドカタランツス（Ｃａｔｈａｒａｎｔｈｕｓ）種子を収穫するステップとを含む、Ｆ1ハイブリッドカタランツス（Ｃａｔｈａｒａｎｔｈｕｓ）種子の生産方法であって、前記第１または第２の親カタランツス（Ｃａｔｈａｒａｎｔｈｕｓ）植物が、前記〔１〕〜〔３〕に記載のカタランツス（Ｃａｔｈａｒａｎｔｈｕｓ）植物である、方法。
〔７〕前記〔６〕に記載の方法によって生産される、Ｆ1ハイブリッド種子。
〔８〕前記〔７〕に記載のハイブリッド種子を成長させることによって生産される、ハイブリッド植物またはその部位。
〔９〕前記〔８〕に記載のハイブリッド植物から生産される、フィトフトラ（Ｐｈｙｔｏｐｈｔｈｏｒａ）に対する広域遺伝的耐性を含有する種子。